(57)【要約】【課題】  追記型情報記録媒体に情報を正しく記録および再生することを可能にする。【解決手段】  基準クロック周期Ｔｗに対し、ｎＴｗの長さ（ただしｎ≧２）のマーク２１に対応するマーク形成部分にマルチパルス部３０が生成される。マルチパルス部３０は、パワーレベルａを有するｎ−１個のパルスと、それらの間にあってパワーレベルｂ（ただしｂ＜ａ）を有するｎ−２個のパルスとで構成される。さらに、マルチパルス部３０の直後にパワーレベルｃ（ただしｃ＜ａ）の断熱パルス３５が生成される。この断熱パルス３５と後続するマルチパルス部３０との間には、スペース２２に対応するパワーレベルｄ（ただし、ｃ＜ｄ＜ａ）のバイアス部３６が生成される。断熱パルス３５の時間長さｔｃは、ｔｃ≧Ｔｗに設定される。【選択図】      図７
2005011496.tif 000002
【特許請求の範囲】
【請求項１】
ビームを照射して記録層を部分的に結晶化してマークを形成することにより情報を記録する追記型情報記録媒体の記録装置であって、
前記ビームの変調波形を、
前記マークの形成部分において第１のパワーレベルａの単数または複数のパルスを有し、前記複数のパルスを有する場合には前記複数のパルスの間に第２のパワーレベルｂ（ただしｂ＜ａ）のパルスを挟んでいるマルチパルス部と、
前記マルチパルス部の直後に位置する第３のパワーレベルｃ（ただしｃ＜ａ）の断熱パルスと、
前記断熱パルスと後続するマルチパルス部との間にある第４のパワーレベルｄのバイアス部と、を有するパルス列とし、
記録する信号の基準クロック周期Ｔｗに対して、前記断熱パルスの時間長さｔｃを、ｔｃ≧Ｔｗの関係とし、前記第３のパワーレベルｃおよび前記第４のパワーレベルｄを、ｃ＜ｄの関係とすることを特徴とする情報記録媒体の記録装置。
【請求項２】
ビームを照射して記録層を部分的に結晶化してマークを形成することにより情報を記録する追記型情報記録媒体の記録装置であって、
前記ビームの変調波形を、
前記マークの形成部分において第１のパワーレベルａの単数または複数のパルスを有し、前記複数のパルスを有する場合には前記複数のパルスの間に第２のパワーレベルｂ（ただしｂ＜ａ）のパルスを挟んでいるマルチパルス部と、
前記マルチパルス部の直後に位置する第３のパワーレベルｃ（ただしｃ＜ａ）の断熱パルスと、
前記断熱パルスと後続するマルチパルス部との間にある第４のパワーレベルｄのバイアス部と、を有するパルス列とし、
前記断熱パルスの線長さＬｃを、Ｌｃ≧７５ｎｍとし、前記第３のパワーレベルｃおよび前記第４のパワーレベルｄを、ｃ＜ｄの関係とすることを特徴とする情報記録媒体の記録装置。
【請求項３】
前記断熱パルスの直後のマーク間スペースが短かいほど、前記断熱パルスを長くすることを特徴とする請求項１または２に記載の情報記録媒体の記録装置。
【請求項４】
前記断熱パルスの直後のマーク間スペースが短かいほど、前記断熱パルスのパワーレベルｃを低くすることを特徴とする請求項１ないし３のいずれかに記載の情報記録媒体の記録装置。
【請求項５】
前記断熱パルスの直前のマークが長いほど、前記断熱パルスを長くすることを特徴とする請求項１ないし４のいずれかに記載の情報記録媒体の記録装置。
【請求項６】
前記断熱パルスの直前のマークが長いほど、前記断熱パルスのパワーレベルｃを低くすることを特徴とする請求項１ないし５のいずれかに記載の情報記録媒体の記録装置。
【請求項７】
ビームを照射して記録層を部分的に結晶化してマークを形成することにより情報を記録する追記型情報記録媒体の記録装置であって、
前記ビームの変調波形を、
前記マークの形成部分において第１のパワーレベルａの単数または複数のパルスを有し、前記複数のパルスを有する場合には前記複数のパルスの間に第２のパワーレベルｂ（ただしｂ＜ａ）のパルスを挟んでいるマルチパルス部と、
前記マルチパルス部の直後に位置する第３のパワーレベルｃ（ただしｃ＜ａ）の第１断熱パルスと、
前記第１断熱パルスと後続するマルチパルス部との間にある第４のパワーレベルｄのバイアス部と、
前記バイアス部と後続する前記マルチパルス部との間にある第５のパワーレベルｅの第２断熱パルスと、を有するパルス列とし、
前記第３のパワーレベルｃ、前記第４のパワーレベルｄおよび前記第５のパワーレベルｅを、ｃ＜ｄおよびｅ＜ｄの関係とすることを特徴とする情報記録媒体の記録装置。
【請求項８】
記録する信号の基準クロック周期Ｔｗに対して、前記バイアス部を前後に挟む前記第１断熱パルスの時間長さｔｃと前記第２断熱パルスの時間長さｔｄとを、ｔｃ＋ｔｄ≧Ｔｗの関係とすることを特徴とする請求項７に記載の情報記録媒体の記録装置。
【請求項９】
前記バイアス部を前後に挟む前記第１断熱パルスの線長さＬｃと前記第２断熱パルスの線長さＬｄとを、Ｌｃ＋Ｌｄ≧７５ｎｍの関係とすることを特徴とする請求項７に記載の情報記録媒体の記録装置。
【請求項１０】
マーク間スペースが短いほど、前記マーク間スペースの前後に位置する第１断熱パルスと第２断熱パルスとの長さの和を大きくすることを特徴とする請求項７ないし９のいずれかに記載の情報記録媒体の記録装置。
【請求項１１】
前記第１断熱パルスの直後のマーク間スペースが短かいほど、前記第１断熱パルスのパワーレベルｃを低くすることを特徴とする請求項７ないし１０のいずれかに記載の情報記録媒体の記録装置。
【請求項１２】
前記第２断熱パルスの直前のマーク間スペースが短かいほど、前記第２断熱パルスのパワーレベルｅを低くすることを特徴とする請求項７ないし１１のいずれかに記載の情報記録媒体の記録装置。
【請求項１３】
前記マークが長いほど、これに後続するマーク間スペースの直前と直後とにそれぞれ位置する第１断熱パルスと第２断熱パルスとの長さの和を大きくすることを特徴とする請求項７ないし１２のいずれかに記載の情報記録媒体の記録装置。
【請求項１４】
前記第１断熱パルスの直前のマークが長いほど、前記第１断熱パルスのパワーレベルｃを低くすることを特徴とする請求項７ないし１３のいずれかに記載の情報記録媒体の記録装置。
【請求項１５】
前記マークが長いほど、これに後続するマーク間スペースの直後に位置する第２断熱パルスのパワーレベルｅを低くすることを特徴とする請求項７ないし１４のいずれかに記載の情報記録媒体の記録装置。
【請求項１６】
ビームを照射して記録層を部分的に結晶化してマークを形成することにより情報を記録する追記型の情報記録媒体であって、
前記マークの形成部分において第１のパワーレベルａの単数または複数のパルスを有し、前記複数のパルスを有する場合には前記複数のパルスの間に第２のパワーレベルｂ（ただしｂ＜ａ）のパルスを挟んでいるマルチパルス部と、
前記マルチパルス部の直後に位置する第３のパワーレベルｃ（ただしｃ＜ａ）の断熱パルスと、
前記断熱パルスと後続するマルチパルス部との間にある第４のパワーレベルｄのバイアス部と、を有するパルス列であって、
記録する信号の基準クロック周期Ｔｗに対して、前記断熱パルスの時間長さｔｃは、ｔｃ≧Ｔｗの関係にあり、前記第３のパワーレベルｃおよび前記第４のパワーレベルｄは、ｃ＜ｄの関係にあるパルス列からなる変調波形のビームを照射することにより前記マークが形成されるものであり、
前記第１から第４のパワーレベルａ，ｂ，ｃ，ｄ及び前記断熱パルスの前記時間長さｔｃが予め記録されていることを特徴とする情報記録媒体。
【請求項１７】
ビームを照射して記録層を部分的に結晶化してマークを形成することにより情報を記録する追記型の情報記録媒体であって、
前記マークの形成部分において第１のパワーレベルａの単数または複数のパルスを有し、前記複数のパルスを有する場合には前記複数のパルスの間に第２のパワーレベルｂ（ただしｂ＜ａ）のパルスを挟んでいるマルチパルス部と、
前記マルチパルス部の直後に位置する第３のパワーレベルｃ（ただしｃ＜ａ）の断熱パルスと、
前記断熱パルスと後続するマルチパルス部との間にある第４のパワーレベルｄのバイアス部と、を有するパルス列であって、
前記断熱パルスの線長さＬｃは、Ｌｃ≧７５ｎｍであり、前記第３のパワーレベルｃおよび前記第４のパワーレベルｄは、ｃ＜ｄの関係にあるパルス列からなる変調波形のビームを照射することにより前記マークが形成されるものであり、前記第１から第４のパワーレベルａ，ｂ，ｃ，ｄ及び前記断熱パルスの前記線長さＬｃに対応する時間長さｔｃが予め記録されていることを特徴とする情報記録媒体。
【請求項１８】
ビームを照射して記録層を部分的に結晶化してマークを形成することにより情報を記録する追記型の情報記録媒体であって、
前記マークの形成部分において第１のパワーレベルａの単数または複数のパルスを有し、前記複数のパルスを有する場合には前記複数のパルスの間に第２のパワーレベルｂ（ただしｂ＜ａ）のパルスを挟んでいるマルチパルス部と、
前記マルチパルス部の直後に位置する第３のパワーレベルｃ（ただしｃ＜ａ）の第１断熱パルスと、
前記第１断熱パルスと後続するマルチパルス部との間にある第４のパワーレベルｄのバイアス部と、
前記バイアス部と後続する前記マルチパルス部との間にある第５のパワーレベルｅの第２断熱パルスと、を有するパルス列であって、
前記第３のパワーレベルｃ、前記第４のパワーレベルｄおよび前記第５のパワーレベルｅは、ｃ＜ｄおよびｅ＜ｄの関係にあるパルス列からなる変調波形のビームを照射することにより前記マークが形成されるものであり、
前記第１から第５のパワーレベルａ，ｂ，ｃ，ｄ，ｅ及び前記第１および第２断熱パルスの時間長さｔｃおよびｔｄが予め記録されていることを特徴とする情報記録媒体。
【請求項１９】
ビームを照射して記録層を部分的に結晶化してマークを形成することにより情報を記録する追記型情報記録媒体の記録方法であって、
前記ビームの変調波形を、
前記マークの形成部分において第１のパワーレベルａの単数または複数のパルスを有し、前記複数のパルスを有する場合には前記複数のパルスの間に第２のパワーレベルｂ（ただしｂ＜ａ）のパルスを挟んでいるマルチパルス部と、
前記マルチパルス部の直後に位置する第３のパワーレベルｃ（ただしｃ＜ａ）の断熱パルスと、
前記断熱パルスと後続するマルチパルス部との間にある第４のパワーレベルｄのバイアス部と、を有するパルス列とし、
記録する信号の基準クロック周期Ｔｗに対して、前記断熱パルスの時間長さｔｃを、ｔｃ≧Ｔｗの関係とし、前記第３のパワーレベルｃおよび前記第４のパワーレベルｄを、ｃ＜ｄの関係とすることを特徴とする情報記録媒体の記録方法。
【請求項２０】
ビームを照射して記録層を部分的に結晶化してマークを形成することにより情報を記録する追記型情報記録媒体の記録方法であって、
前記ビームの変調波形を、
前記マークの形成部分において第１のパワーレベルａの単数または複数のパルスを有し、前記複数のパルスを有する場合には前記複数のパルスの間に第２のパワーレベルｂ（ただしｂ＜ａ）のパルスを挟んでいるマルチパルス部と、
前記マルチパルス部の直後に位置する第３のパワーレベルｃ（ただしｃ＜ａ）の断熱パルスと、
前記断熱パルスと後続するマルチパルス部との間にある第４のパワーレベルｄのバイアス部と、を有するパルス列とし、
前記断熱パルスの線長さＬｃを、Ｌｃ≧７５ｎｍとし、前記第３のパワーレベルｃおよび前記第４のパワーレベルｄを、ｃ＜ｄの関係とすることを特徴とする情報記録媒体の記録方法。
【請求項２１】
ビームを照射して記録層を部分的に結晶化してマークを形成することにより情報を記録する追記型情報記録媒体の記録方法であって、
前記ビームの変調波形を、
前記マークの形成部分において第１のパワーレベルａの単数または複数のパルスを有し、前記複数のパルスを有する場合には前記複数のパルスの間に第２のパワーレベルｂ（ただしｂ＜ａ）のパルスを挟んでいるマルチパルス部と、
前記マルチパルス部の直後に位置する第３のパワーレベルｃ（ただしｃ＜ａ）の第１断熱パルスと、
前記第１断熱パルスと後続するマルチパルス部との間にある第４のパワーレベルｄのバイアス部と、
前記バイアス部と後続する前記マルチパルス部との間にある第５のパワーレベルｅの第２断熱パルスと、を有するパルス列とし、
前記第３のパワーレベルｃ、前記第４のパワーレベルｄおよび前記第５のパワーレベルｅを、ｃ＜ｄおよびｅ＜ｄの関係とすることを特徴とする情報記録媒体の記録方法。
【請求項２２】
ビームを照射して記録層を部分的に結晶化してマークを形成することにより情報を記録する、コンピュータを利用した追記型情報記録媒体の記録装置を、
前記マークの形成部分において第１のパワーレベルａの単数または複数のパルスを有し、前記複数のパルスを有する場合には前記複数のパルスの間に第２のパワーレベルｂ（ただしｂ＜ａ）のパルスを挟んでいるマルチパルス部を形成するように前記ビームを変調するマルチパルス部形成手段と、
前記マルチパルス部の直後に位置する第３のパワーレベルｃ（ただしｃ＜ａ）の断熱パルスを形成するように前記ビームを変調する断熱パルス形成手段と、
前記断熱パルスと後続するマルチパルス部との間にある第４のパワーレベルｄのバイアス部を形成するように前記ビームを変調するバイアス部形成手段として機能させ、
前記断熱パルス形成手段及び前記バイアス部形成手段は、記録する信号の基準クロック周期Ｔｗに対して、前記断熱パルスの時間長さｔｃがｔｃ≧Ｔｗの関係にあり、前記第３のパワーレベルｃおよび前記第４のパワーレベルｄがｃ＜ｄの関係にあるように、前記ビームを変調することを特徴とする情報記録媒体の記録用プログラム。
【請求項２３】
ビームを照射して記録層を部分的に結晶化してマークを形成することにより情報を記録する、コンピュータを利用した追記型情報記録媒体の記録装置を、
前記マークの形成部分において第１のパワーレベルａの単数または複数のパルスを有し、前記複数のパルスを有する場合には前記複数のパルスの間に第２のパワーレベルｂ（ただしｂ＜ａ）のパルスを挟んでいるマルチパルス部を形成するように前記ビームを変調するマルチパルス部形成手段と、
前記マルチパルス部の直後に位置する第３のパワーレベルｃ（ただしｃ＜ａ）の断熱パルスを形成するように前記ビームを変調する断熱パルス形成手段と、
前記断熱パルスと後続するマルチパルス部との間にある第４のパワーレベルｄのバイアス部を形成するように前記ビームを変調するバイアス部形成手段として機能させ、
前記断熱パルス形成手段及び前記バイアス部形成手段は、前記断熱パルスの線長さＬｃがＬｃ≧７５ｎｍであり、前記第３のパワーレベルｃおよび前記第４のパワーレベルｄがｃ＜ｄの関係にあるように、前記ビームを変調することを特徴とする情報記録媒体の記録用プログラム。
【請求項２４】
ビームを照射して記録層を部分的に結晶化してマークを形成することにより情報を記録する、コンピュータを利用した追記型情報記録媒体の記録装置を、
前記マークの形成部分において第１のパワーレベルａの単数または複数のパルスを有し、前記複数のパルスを有する場合には前記複数のパルスの間に第２のパワーレベルｂ（ただしｂ＜ａ）のパルスを挟んでいるマルチパルス部を形成するように前記ビームを変調するマルチパルス部形成手段と、
前記マルチパルス部の直後に位置する第３のパワーレベルｃ（ただしｃ＜ａ）の第１断熱パルスを形成するように前記ビームを変調する第１断熱パルス形成手段と、
前記第１断熱パルスと後続するマルチパルス部との間にある第４のパワーレベルｄのバイアス部を形成するように前記ビームを変調するバイアス部形成手段と、
前記バイアス部と後続する前記マルチパルス部との間にある第５のパワーレベルｅの第２断熱パルスを形成するように前記ビームを変調する第２断熱パルス形成手段として機能させ、
前記第１断熱パルス形成手段、前記バイアス部形成手段及び前記第２断熱パルス形成手段は、前記第３のパワーレベルｃ、前記第４のパワーレベルｄおよび前記第５のパワーレベルｅが、ｃ＜ｄおよびｅ＜ｄの関係にあるように、前記ビームを変調することを特徴とする情報記録媒体の記録用プログラム。
【請求項２５】
ビームを照射して記録層を部分的に結晶化してマークを形成することにより情報を記録する、コンピュータを利用した追記型情報記録媒体の記録装置を、
前記マークの形成部分において第１のパワーレベルａの単数または複数のパルスを有し、前記複数のパルスを有する場合には前記複数のパルスの間に第２のパワーレベルｂ（ただしｂ＜ａ）のパルスを挟んでいるマルチパルス部を形成するように前記ビームを変調するマルチパルス部形成手段と、
前記マルチパルス部の直後に位置する第３のパワーレベルｃ（ただしｃ＜ａ）の断熱パルスを形成するように前記ビームを変調する断熱パルス形成手段と、
前記断熱パルスと後続するマルチパルス部との間にある第４のパワーレベルｄのバイアス部を形成するように前記ビームを変調するバイアス部形成手段として機能させ、
前記断熱パルス形成手段及び前記バイアス部形成手段は、記録する信号の基準クロック周期Ｔｗに対して、前記断熱パルスの時間長さｔｃがｔｃ≧Ｔｗの関係にあり、前記第３のパワーレベルｃおよび前記第４のパワーレベルｄがｃ＜ｄの関係にあるように、前記ビームを変調することを特徴とする情報記録媒体の記録用プログラムを記録したコンピュータ読み取り可能な記録媒体。
【請求項２６】
ビームを照射して記録層を部分的に結晶化してマークを形成することにより情報を記録する、コンピュータを利用した追記型情報記録媒体の記録装置を、
前記マークの形成部分において第１のパワーレベルａの単数または複数のパルスを有し、前記複数のパルスを有する場合には前記複数のパルスの間に第２のパワーレベルｂ（ただしｂ＜ａ）のパルスを挟んでいるマルチパルス部を形成するように前記ビームを変調するマルチパルス部形成手段と、
前記マルチパルス部の直後に位置する第３のパワーレベルｃ（ただしｃ＜ａ）の断熱パルスを形成するように前記ビームを変調する断熱パルス形成手段と、
前記断熱パルスと後続するマルチパルス部との間にある第４のパワーレベルｄのバイアス部を形成するように前記ビームを変調するバイアス部形成手段として機能させ、
前記断熱パルス形成手段及び前記バイアス部形成手段は、前記断熱パルスの線長さＬｃがＬｃ≧７５ｎｍであり、前記第３のパワーレベルｃおよび前記第４のパワーレベルｄがｃ＜ｄの関係にあるように、前記ビームを変調することを特徴とする情報記録媒体の記録用プログラムを記録したコンピュータ読み取り可能な記録媒体。
【請求項２７】
ビームを照射して記録層を部分的に結晶化してマークを形成することにより情報を記録する、コンピュータを利用した追記型情報記録媒体の記録装置を、
前記マークの形成部分において第１のパワーレベルａの単数または複数のパルスを有し、前記複数のパルスを有する場合には前記複数のパルスの間に第２のパワーレベルｂ（ただしｂ＜ａ）のパルスを挟んでいるマルチパルス部を形成するように前記ビームを変調するマルチパルス部形成手段と、
前記マルチパルス部の直後に位置する第３のパワーレベルｃ（ただしｃ＜ａ）の第１断熱パルスを形成するように前記ビームを変調する第１断熱パルス形成手段と、
前記第１断熱パルスと後続するマルチパルス部との間にある第４のパワーレベルｄのバイアス部を形成するように前記ビームを変調するバイアス部形成手段と、
前記バイアス部と後続する前記マルチパルス部との間にある第５のパワーレベルｅの第２断熱パルスを形成するように前記ビームを変調する第２断熱パルス形成手段として機能させ、
前記第１断熱パルス形成手段、前記バイアス部形成手段及び前記第２断熱パルス形成手段は、前記第３のパワーレベルｃ、前記第４のパワーレベルｄおよび前記第５のパワーレベルｅが、ｃ＜ｄおよびｅ＜ｄの関係にあるように、前記ビームを変調することを特徴とする情報記録媒体の記録用プログラムを記録したコンピュータ読み取り可能な記録媒体。
【発明の詳細な説明】
【技術分野】
【０００１】
本発明は、レーザー光等のビームの照射により情報の記録再生を行う情報記録媒体およびその記録技術に関するものである。
【背景技術】
【０００２】
大容量で高密度なメモリーとして光学式情報記録媒体がある。この光学式情報記録媒体の一つとして、基板上にアモルファス状態と結晶状態との間で相変化する薄膜を記録層として有し、レーザー光の照射による熱エネルギーによって情報の記録を行うものがあり、一回だけ情報の記録が可能な追記型と情報の書換えが可能な消去型とがある。
【０００３】
追記型媒体の記録層に用いられる相変化する材料としては、Ｔｅ酸化物等を主成分とする合金膜、例えばＴｅＯＰｄ合金が知られている。この追記型の情報記録媒体では、情報の記録は記録層を部分的に結晶化して記録マークを形成することにより行われる。この結晶化は記録層を結晶化温度以上に昇温することによって行われる。
【０００４】
消去型媒体の記録層に用いられる相変化する材料としては、Ｇｅ，Ｓｂ，Ｔｅ，Ｉｎ等を主成分とする合金膜、例えばＧｅＳｂＴｅ合金が知られている。この消去型の情報記録媒体では、情報の記録は記録層を部分的にアモルファス化して記録マークを形成することにより行われ、情報の消去は、この記録マークを結晶化することによって行われる。アモルファス化は記録層を融点以上に加熱した後に急激に冷却することによって行われる。一方、結晶化は記録層を結晶化温度以上、融点以下の温度に加熱することによって行われる。
【０００５】
また、媒体への情報の記録方式として、種々の長さのマークを種々の長さのスペースを挟んで形成することによって、マークの長さ及びスペースの長さ（より詳細には、マークの前端及び後端のエッジ位置）が情報を担うようにしたマーク長記録方式がある。
【０００６】
このマーク長記録方式では、長いマークを形成する際に、単純にマークの長さの強いレーザーパルスを照射すると、マーク前部で発生した熱が後部での昇温を助長するため、前部が細く後部が太い歪んだマーク形状となり、信号品質が低下する。従って、図１７に示すように、情報トラック２０に沿って形成されるマーク２１の前端２３に相当する第１パルス９１、マーク２１の中間部分に相当する中間パルス９２、マーク２１の後端２４に相当する最終パルス９３からなるマルチパルス部９０、最終パルス９３に続く低いパワーレベルのオフパルス９４を備えたパルス列の波形に、レーザー光を変調して照射することによって１つのマーク２１を形成する方法が有利である。図１７において、α，βは、それぞれ第１パルス９１及び最終パルス９３の発生タイミングであり、ｔ１，ｔ２，ｔ３およびｔ４は、それぞれ第１パルス９１、中間パルス９２、最終パルス９３、およびオフパルス９４の時間長さである。また、ａはマルチパルス部９０の高パワー側のレーザー強度、ｂはマルチパルス部９０の低パワー側及びオフパルス９４のレーザー強度、ｄはスペース２２でのレーザー強度である。
【０００７】
消去型の光学式情報記録媒体に適合した従来の記録方法では、パルス幅ｔ１，ｔ２，ｔ３，ｔ４を、記録する信号の基準クロック周期（ウインドウ幅とも称される）Ｔｗに対して、０．５Ｔｗ≦ｔ１≦２Ｔｗ、０．４Ｔｗ≦ｔ２＝ｔ３≦０．６Ｔｗ、０．５Ｔｗ≦ｔ４≦１Ｔｗの範囲で、記録時の線速度に応じて最も低い値に設定するとともに、パルス強度ａ，ｂ，ｄを、再生した信号の振幅が一定値以上となるように選択するのが好ましいとされている（例えば、特許文献１参照）。
【０００８】
また、高記録密度化によって隣り合うマーク２１の間隔が小さくなると、マーク２１形成時に発生する熱が隣接するマーク２１の形成に影響を与えるようになり、マーク２１のエッジ位置が変動することによって、信号品質が低下するという問題点があった。このマーク２１間の熱干渉によるエッジ位置の変動量は、記録しようとするマーク２１の長さ及び前後のスペース２２の長さによって異なる。従って、この問題点を解決するために、第１パルス９１の発生タイミングα及び最終パルス９３の発生タイミングβを、記録するマーク２１の長さ及びその前後のスペース２２の長さに応じてそれぞれ随時変化させて記録する信号パターン適応型の記録補償方式が提案されている（例えば、特許文献２参照）。
情報の書き換えが可能で、何度でも繰り返して使用可能であるという利便性から、消去型の記録媒体の開発が盛んである一方、一回だけ情報の記録が可能な追記型の記録媒体も、情報の改竄が不可能であるという特徴から、その需要は大きい。
【特許文献１】特許第３１２４７２０号公報
【特許文献２】特許第２６７９５９６号公報
【発明の開示】
【発明が解決しようとする課題】
【０００９】
追記型の情報記録媒体では、情報の記録は記録層を部分的に結晶化することにより記録マークを形成して行われる。この結晶化は記録層を融点よりも遙かに低い結晶化温度以上に昇温することで生じる。したがって、追記型の記録媒体は、記録層を融点以上に加熱した後に急激に冷却することによってマーク２１を形成する消去型の記録媒体に比べて、形成するマーク２１の直前のマーク２１からの熱伝搬の影響を受けやすい。
【００１０】
そのため、例えばＴｅＯＰｄ合金を記録層に用いた追記型の媒体に、図１７で説明した従来の記録方法を用いた場合、高密度な記録条件では、再生信号のジッタが大きくなり、信号品質が低下して、正しく情報を記録再生することができないという課題があった。
【００１１】
本発明は上記した従来の課題を解決するためになされたもので、追記型情報記録媒体に情報を正しく記録することを可能にする記録技術、および当該記録技術を用いて記録される情報記録媒体を提供することを目的とする。
【課題を解決するための手段】
【００１２】
上記目的を達成するために、本発明のうち第１の態様に係るものは、ビームを照射して記録層を部分的に結晶化してマークを形成することにより情報を記録する追記型情報記録媒体の記録装置であって、前記ビームの変調波形を、前記マークの形成部分において第１のパワーレベルａの単数または複数のパルスを有し、前記複数のパルスを有する場合には前記複数のパルスの間に第２のパワーレベルｂ（ただしｂ＜ａ）のパルスを挟んでいるマルチパルス部と、前記マルチパルス部の直後に位置する第３のパワーレベルｃ（ただしｃ＜ａ）の断熱パルスと、前記断熱パルスと後続するマルチパルス部との間にある第４のパワーレベルｄのバイアス部と、を有するパルス列とし、記録する信号の基準クロック周期Ｔｗに対して、前記断熱パルスの時間長さｔｃを、ｔｃ≧Ｔｗの関係とし、前記第３のパワーレベルｃおよび前記第４のパワーレベルｄを、ｃ＜ｄの関係とすることを特徴とするものである。
【００１３】
本発明の第１の態様に係る情報記録媒体の記録装置によれば、ビームの変調波形が、マルチパルス部とつぎのマルチパルス部との間にあるバイアス部よりもパワーレベルの低い断熱パルスを、マルチパルス部と後続するバイアス部との間に有しており、しかも断熱パルスの時間長さが最適範囲にあるので、記録層を部分的に結晶化して記録マークを形成する追記型の情報記録媒体に対して、ユーザーデータを正しく記録することが可能となる。
【００１４】
本発明のうち第２の態様に係るものは、ビームを照射して記録層を部分的に結晶化してマークを形成することにより情報を記録する追記型情報記録媒体の記録装置であって、前記ビームの変調波形を、前記マークの形成部分において第１のパワーレベルａの単数または複数のパルスを有し、前記複数のパルスを有する場合には前記複数のパルスの間に第２のパワーレベルｂ（ただしｂ＜ａ）のパルスを挟んでいるマルチパルス部と、前記マルチパルス部の直後に位置する第３のパワーレベルｃ（ただしｃ＜ａ）の断熱パルスと、前記断熱パルスと後続するマルチパルス部との間にある第４のパワーレベルｄのバイアス部と、を有するパルス列とし、前記断熱パルスの線長さＬｃを、Ｌｃ≧７５ｎｍとし、前記第３のパワーレベルｃおよび前記第４のパワーレベルｄを、ｃ＜ｄの関係とすることを特徴とするものである。
【００１５】
本発明の第２の態様に係る情報記録媒体の記録装置によれば、ビームの変調波形が、マルチパルス部とつぎのマルチパルス部との間にあるバイアス部よりもパワーレベルの低い断熱パルスを、マルチパルス部と後続するバイアス部との間に有しており、しかも断熱パルスの線長さが最適範囲にあるので、記録層を部分的に結晶化して記録マークを形成する追記型の情報記録媒体に対して、ユーザーデータを正しく記録することが可能となる。
【００１６】
本発明のうち第３の態様に係るものは、第１又は第２の態様に係る情報記録媒体の記録装置であって、前記断熱パルスの直後のマーク間スペースが短かいほど、前記断熱パルスを長くすることを特徴とするものである。
【００１７】
本発明の第３の態様に係る情報記録媒体の記録装置によれば、直後のマーク間スペースが短いほど、断熱パルスが長くされるので、様々な信号パターンにおいて、マーク形成時に発生する熱の後続のマークへの伝搬をより均一化することが可能となり、より高品質な情報の記録が可能となる。
【００１８】
本発明のうち第４の態様に係るものは、第１ないし第３の何れかの態様に係る情報記録媒体の記録装置であって、前記断熱パルスの直後のマーク間スペースが短かいほど、前記断熱パルスのパワーレベルｃを低くすることを特徴とするものである。
【００１９】
本発明の第４の態様に係る情報記録媒体の記録装置によれば、直後のマーク間スペースが短いほど、断熱パルスのパワーレベルが低くされるので、様々な信号パターンにおいて、マーク形成時に発生する熱の後続のマークへの伝搬をより均一化することが可能となり、より高品質な情報の記録が可能となる。
【００２０】
本発明のうち第５の態様に係るものは、第１ないし第４の何れかの態様に係る情報記録媒体の記録装置であって、前記断熱パルスの直前のマークが長いほど、前記断熱パルスを長くすることを特徴とするものである。
【００２１】
本発明の第５の態様に係る情報記録媒体の記録装置によれば、直前のマークが長いほど、断熱パルスが長くされるので、様々な信号パターンにおいて、マーク形成時に発生する熱の後続のマークへの伝搬をより均一化することが可能となり、より高品質な情報の記録が可能となる。
【００２２】
本発明のうち第６の態様に係るものは、第１ないし第５の何れかの態様に係る情報記録媒体の記録装置であって、前記断熱パルスの直前のマークが長いほど、前記断熱パルスのパワーレベルｃを低くすることを特徴とするものである。
【００２３】
本発明の第６の態様に係る情報記録媒体の記録装置によれば、直前のマークが長いほど、断熱パルスのパワーレベルが低くされるので、様々な信号パターンにおいて、マーク形成時に発生する熱の後続のマークへの伝搬をより均一化することが可能となり、より高品質な情報の記録が可能となる。
【００２４】
本発明のうち第７の態様に係るものは、ビームを照射して記録層を部分的に結晶化してマークを形成することにより情報を記録する追記型情報記録媒体の記録装置であって、前記ビームの変調波形を、前記マークの形成部分において第１のパワーレベルａの単数または複数のパルスを有し、前記複数のパルスを有する場合には前記複数のパルスの間に第２のパワーレベルｂ（ただしｂ＜ａ）のパルスを挟んでいるマルチパルス部と、前記マルチパルス部の直後に位置する第３のパワーレベルｃ（ただしｃ＜ａ）の第１断熱パルスと、前記第１断熱パルスと後続するマルチパルス部との間にある第４のパワーレベルｄのバイアス部と、前記バイアス部と後続する前記マルチパルス部との間にある第５のパワーレベルｅの第２断熱パルスと、を有するパルス列とし、前記第３のパワーレベルｃ、前記第４のパワーレベルｄおよび前記第５のパワーレベルｅを、ｃ＜ｄおよびｅ＜ｄの関係とすることを特徴とするものである。
【００２５】
本発明の第７の態様に係る情報記録媒体の記録装置によれば、ビームの変調波形が、マルチパルス部とつぎのマルチパルス部との間にあるバイアス部よりもパワーレベルの低い断熱パルスを、バイアス部の前後に配置しているので、マルチパルス部の前端部分と後端部分の温度上昇をより細かく制御することが可能となる。それによって、より高品質な情報の記録が可能となる。
【００２６】
本発明のうち第８の態様に係るものは、第７の態様に係る情報記録媒体の記録装置であって、記録する信号の基準クロック周期Ｔｗに対して、前記バイアス部を前後に挟む前記第１断熱パルスの時間長さｔｃと前記第２断熱パルスの時間長さｔｄとを、ｔｃ＋ｔｄ≧Ｔｗの関係とすることを特徴とするものである。
【００２７】
本発明の第８の態様に係る情報記録媒体の記録装置によれば、断熱パルスの時間長さが最適範囲にあるので、記録層を部分的に結晶化して記録マークを形成する追記型の情報記録媒体に対して、ユーザーデータを正しく記録することが可能となる。
【００２８】
本発明のうち第９の態様に係るものは、第７の態様に係る情報記録媒体の記録装置であって、前記バイアス部を前後に挟む前記第１断熱パルスの線長さＬｃと前記第２断熱パルスの線長さＬｄとを、Ｌｃ＋Ｌｄ≧７５ｎｍの関係とすることを特徴とするものである。
【００２９】
本発明の第９の態様に係る情報記録媒体の記録装置によれば、断熱パルスの線長さが最適範囲にあるので、記録層を部分的に結晶化して記録マークを形成する追記型の情報記録媒体に対して、ユーザーデータを正しく記録することが可能となる。
【００３０】
本発明のうち第１０の態様に係るものは、第７ないし第９の何れかの態様に係る情報記録媒体の記録装置であって、マーク間スペースが短いほど、前記マーク間スペースの前後に位置する第１断熱パルスと第２断熱パルスとの長さの和を大きくすることを特徴とするものである。
【００３１】
本発明の第１０の態様に係る情報記録媒体の記録装置によれば、マーク間スペースが短いほど、その前後に位置する第１断熱パルスと第２断熱パルスとの長さの和が大きくされるので、様々な信号パターンにおいて、マーク形成時に発生する熱の後続のマークへの伝搬をより均一化することが可能となり、より高品質な情報の記録が可能となる。
【００３２】
本発明のうち第１１の態様に係るものは、第７ないし第１０の何れかの態様に係る情報記録媒体の記録装置であって、前記第１断熱パルスの直後のマーク間スペースが短かいほど、前記第１断熱パルスのパワーレベルｃを低くすることを特徴とするものである。
【００３３】
本発明の第１１の態様に係る情報記録媒体の記録装置によれば、直後のマーク間スペースが短いほど、第１断熱パルスのパワーレベルが低くされるので、様々な信号パターンにおいて、マーク形成時に発生する熱の後続のマークへの伝搬をより均一化することが可能となり、より高品質な情報の記録が可能となる。
【００３４】
本発明のうち第１２の態様に係るものは、第７ないし第１１の何れかの態様に係る情報記録媒体の記録装置であって、前記第２断熱パルスの直前のマーク間スペースが短かいほど、前記第２断熱パルスのパワーレベルｅを低くすることを特徴とするものである。
【００３５】
本発明の第１２の態様に係る情報記録媒体の記録装置によれば、直前のマーク間スペースが短かいほど、第２断熱パルスのパワーレベルが低くされるので、様々な信号パターンにおいて、マーク形成時に発生する熱の後続のマークへの伝搬をより均一化することが可能となり、より高品質な情報の記録が可能となる。
【００３６】
本発明のうち第１３の態様に係るものは、第７ないし第１２の何れかの態様に係る情報記録媒体の記録装置であって、前記マークが長いほど、これに後続するマーク間スペースの直前と直後とにそれぞれ位置する第１断熱パルスと第２断熱パルスとの長さの和を大きくすることを特徴とするものである。
【００３７】
本発明の第１３の態様に係る情報記録媒体の記録装置によれば、直前のマークが長いほど、これに後続するマーク間スペースの前後に位置する第１断熱パルスと第２断熱パルスとの長さの和が大きくされるので、様々な信号パターンにおいて、マーク形成時に発生する熱の後続のマークへの伝搬をより均一化することが可能となり、より高品質な情報の記録が可能となる。
【００３８】
本発明のうち第１４の態様に係るものは、第７ないし第１３の何れかの態様に係る情報記録媒体の記録装置であって、前記第１断熱パルスの直前のマークが長いほど、前記第１断熱パルスのパワーレベルｃを低くすることを特徴とするものである。
【００３９】
本発明の第１４の態様に係る情報記録媒体の記録装置によれば、直前のマークが長いほど、第１断熱パルスのパワーレベルが低くされるので、様々な信号パターンにおいて、マーク形成時に発生する熱の後続のマークへの伝搬をより均一化することが可能となり、より高品質な情報の記録が可能となる。
【００４０】
本発明のうち第１５の態様に係るものは、第７ないし第１４の何れかの態様に係る情報記録媒体の記録装置であって、前記マークが長いほど、これに後続するマーク間スペースの直後に位置する第２断熱パルスのパワーレベルｅを低くすることを特徴とするものである。
【００４１】
本発明の第１５の態様に係る情報記録媒体の記録装置によれば、直前のマークが長いほど、これに後続するマーク間スペースの直後に位置する第２断熱パルスのパワーレベルが低くされるので、様々な信号パターンにおいて、マーク形成時に発生する熱の後続のマークへの伝搬をより均一化することが可能となり、より高品質な情報の記録が可能となる。
【００４２】
本発明のうち第１６の態様に係るものは、ビームを照射して記録層を部分的に結晶化してマークを形成することにより情報を記録する追記型の情報記録媒体であって、前記マークの形成部分において第１のパワーレベルａの単数または複数のパルスを有し、前記複数のパルスを有する場合には前記複数のパルスの間に第２のパワーレベルｂ（ただしｂ＜ａ）のパルスを挟んでいるマルチパルス部と、前記マルチパルス部の直後に位置する第３のパワーレベルｃ（ただしｃ＜ａ）の断熱パルスと、前記断熱パルスと後続するマルチパルス部との間にある第４のパワーレベルｄのバイアス部と、を有するパルス列であって、記録する信号の基準クロック周期Ｔｗに対して、前記断熱パルスの時間長さｔｃは、ｔｃ≧Ｔｗの関係にあり、前記第３のパワーレベルｃおよび前記第４のパワーレベルｄは、ｃ＜ｄの関係にあるパルス列からなる変調波形のビームを照射することにより前記マークが形成されるものであり、前記第１から第４のパワーレベルａ，ｂ，ｃ，ｄ及び前記断熱パルスの前記時間長さｔｃが予め記録されていることを特徴とするものである。
【００４３】
本発明の第１６の態様に係る情報記録媒体によれば、マルチパルス部とつぎのマルチパルス部との間にあるバイアス部よりもパワーレベルの低い断熱パルスを、マルチパルス部と後続するバイアス部との間に有しており、しかも断熱パルスの時間長さが最適範囲にある変調波形のビームによりマークが記録されるものであり、そのためにパルス条件が予め記録されているので、ユーザーデータを正しく記録または再生することが可能となる。
【００４４】
なお、本発明の第１６の態様において、「マークが記録されるものである」とは、マークが未記録の状態をも包含する趣旨である。以下の本発明の第１７および第１８の何れかの態様においても同様である。
【００４５】
本発明のうち第１７の態様に係るものは、ビームを照射して記録層を部分的に結晶化してマークを形成することにより情報を記録する追記型の情報記録媒体であって、前記マークの形成部分において第１のパワーレベルａの単数または複数のパルスを有し、前記複数のパルスを有する場合には前記複数のパルスの間に第２のパワーレベルｂ（ただしｂ＜ａ）のパルスを挟んでいるマルチパルス部と、前記マルチパルス部の直後に位置する第３のパワーレベルｃ（ただしｃ＜ａ）の断熱パルスと、前記断熱パルスと後続するマルチパルス部との間にある第４のパワーレベルｄのバイアス部と、を有するパルス列であって、前記断熱パルスの線長さＬｃは、Ｌｃ≧７５ｎｍであり、前記第３のパワーレベルｃおよび前記第４のパワーレベルｄは、ｃ＜ｄの関係にあるパルス列からなる変調波形のビームを照射することにより前記マークが形成されるものであり、前記第１から第４のパワーレベルａ，ｂ，ｃ，ｄ及び前記断熱パルスの前記線長さＬｃに対応する時間長さｔｃが予め記録されていることを特徴とするものである。
【００４６】
本発明の第１７の態様に係る情報記録媒体によれば、マルチパルス部とつぎのマルチパルス部との間にあるバイアス部よりもパワーレベルの低い断熱パルスを、マルチパルス部と後続するバイアス部との間に有しており、しかも断熱パルスの線長さが最適範囲にある変調波形のビームによりマークが記録されるものであり、そのためにパルス条件があらかじめ記録されているので、ユーザーデータを正しく記録または再生することが可能となる。
【００４７】
本発明のうち第１８の態様に係るものは、ビームを照射して記録層を部分的に結晶化してマークを形成することにより情報を記録する追記型の情報記録媒体であって、前記マークの形成部分において第１のパワーレベルａの単数または複数のパルスを有し、前記複数のパルスを有する場合には前記複数のパルスの間に第２のパワーレベルｂ（ただしｂ＜ａ）のパルスを挟んでいるマルチパルス部と、前記マルチパルス部の直後に位置する第３のパワーレベルｃ（ただしｃ＜ａ）の第１断熱パルスと、前記第１断熱パルスと後続するマルチパルス部との間にある第４のパワーレベルｄのバイアス部と、前記バイアス部と後続する前記マルチパルス部との間にある第５のパワーレベルｅの第２断熱パルスと、を有するパルス列であって、前記第３のパワーレベルｃ、前記第４のパワーレベルｄおよび前記第５のパワーレベルｅは、ｃ＜ｄおよびｅ＜ｄの関係にあるパルス列からなる変調波形のビームを照射することにより前記マークが形成されるものであり、前記第１から第５のパワーレベルａ，ｂ，ｃ，ｄ，ｅ及び前記第１および第２断熱パルスの時間長さｔｃおよびｔｄが予め記録されていることを特徴とするものである。
【００４８】
本発明の第１８の態様に係る情報記録媒体によれば、マルチパルス部とつぎのマルチパルス部との間にあるバイアス部よりもパワーレベルの低い断熱パルスを、バイアス部の前後に配置した変調波形のビームによりマークが記録されるものであり、そのためにパルス条件があらかじめ記録されているので、ユーザーデータを正しく記録または再生することが可能となる。
【００４９】
本発明のうち第１９の態様に係るものは、ビームを照射して記録層を部分的に結晶化してマークを形成することにより情報を記録する追記型情報記録媒体の記録方法であって、前記ビームの変調波形を、前記マークの形成部分において第１のパワーレベルａの単数または複数のパルスを有し、前記複数のパルスを有する場合には前記複数のパルスの間に第２のパワーレベルｂ（ただしｂ＜ａ）のパルスを挟んでいるマルチパルス部と、前記マルチパルス部の直後に位置する第３のパワーレベルｃ（ただしｃ＜ａ）の断熱パルスと、前記断熱パルスと後続するマルチパルス部との間にある第４のパワーレベルｄのバイアス部と、を有するパルス列とし、記録する信号の基準クロック周期Ｔｗに対して、前記断熱パルスの時間長さｔｃを、ｔｃ≧Ｔｗの関係とし、前記第３のパワーレベルｃおよび前記第４のパワーレベルｄを、ｃ＜ｄの関係とすることを特徴とするものである。
【００５０】
本発明の第１９の態様に係る情報記録媒体の記録方法によれば、ビームの変調波形が、マルチパルス部とつぎのマルチパルス部との間にあるバイアス部よりもパワーレベルの低い断熱パルスを、マルチパルス部と後続するバイアス部との間に有することとなり、しかも断熱パルスの時間長さが最適範囲内の値となるので、記録層を部分的に結晶化して記録マークを形成する追記型の情報記録媒体に対して、ユーザーデータを正しく記録することが可能となる。
【００５１】
本発明のうち第２０の態様に係るものは、ビームを照射して記録層を部分的に結晶化してマークを形成することにより情報を記録する追記型情報記録媒体の記録方法であって、前記ビームの変調波形を、前記マークの形成部分において第１のパワーレベルａの単数または複数のパルスを有し、前記複数のパルスを有する場合には前記複数のパルスの間に第２のパワーレベルｂ（ただしｂ＜ａ）のパルスを挟んでいるマルチパルス部と、前記マルチパルス部の直後に位置する第３のパワーレベルｃ（ただしｃ＜ａ）の断熱パルスと、前記断熱パルスと後続するマルチパルス部との間にある第４のパワーレベルｄのバイアス部と、を有するパルス列とし、前記断熱パルスの線長さＬｃを、Ｌｃ≧７５ｎｍとし、前記第３のパワーレベルｃおよび前記第４のパワーレベルｄを、ｃ＜ｄの関係とすることを特徴とするものである。
【００５２】
本発明の第２０の態様に係る情報記録媒体の記録方法によれば、ビームの変調波形が、マルチパルス部とつぎのマルチパルス部との間にあるバイアス部よりもパワーレベルの低い断熱パルスを、マルチパルス部と後続するバイアス部との間に有することとなり、しかも断熱パルスの線長さが最適範囲内の値となるので、記録層を部分的に結晶化して記録マークを形成する追記型の情報記録媒体に対して、ユーザーデータを正しく記録することが可能となる。
【００５３】
本発明のうち第２１の態様に係るものは、ビームを照射して記録層を部分的に結晶化してマークを形成することにより情報を記録する追記型情報記録媒体の記録方法であって、前記ビームの変調波形を、前記マークの形成部分において第１のパワーレベルａの単数または複数のパルスを有し、前記複数のパルスを有する場合には前記複数のパルスの間に第２のパワーレベルｂ（ただしｂ＜ａ）のパルスを挟んでいるマルチパルス部と、前記マルチパルス部の直後に位置する第３のパワーレベルｃ（ただしｃ＜ａ）の第１断熱パルスと、前記第１断熱パルスと後続するマルチパルス部との間にある第４のパワーレベルｄのバイアス部と、前記バイアス部と後続する前記マルチパルス部との間にある第５のパワーレベルｅの第２断熱パルスと、を有するパルス列とし、前記第３のパワーレベルｃ、前記第４のパワーレベルｄおよび前記第５のパワーレベルｅを、ｃ＜ｄおよびｅ＜ｄの関係とすることを特徴とするものである。
【００５４】
本発明の第２１の態様に係る情報記録媒体の記録方法によれば、ビームの変調波形が、マルチパルス部とつぎのマルチパルス部との間にあるバイアス部よりもパワーレベルの低い断熱パルスを、バイアス部の前後に配置することとなるので、マルチパルス部の前端部分と後端部分の温度上昇をより細かく制御することが可能となる。それによって、より高品質な情報の記録が可能となる。
【００５５】
本発明のうち第２２の態様に係るものは、情報記録媒体の記録用プログラムであって、ビームを照射して記録層を部分的に結晶化してマークを形成することにより情報を記録する、コンピュータを利用した追記型情報記録媒体の記録装置を、前記マークの形成部分において第１のパワーレベルａの単数または複数のパルスを有し、前記複数のパルスを有する場合には前記複数のパルスの間に第２のパワーレベルｂ（ただしｂ＜ａ）のパルスを挟んでいるマルチパルス部を形成するように前記ビームを変調するマルチパルス部形成手段と、前記マルチパルス部の直後に位置する第３のパワーレベルｃ（ただしｃ＜ａ）の断熱パルスを形成するように前記ビームを変調する断熱パルス形成手段と、前記断熱パルスと後続するマルチパルス部との間にある第４のパワーレベルｄのバイアス部を形成するように前記ビームを変調するバイアス部形成手段として機能させ、前記断熱パルス形成手段及び前記バイアス部形成手段は、記録する信号の基準クロック周期Ｔｗに対して、前記断熱パルスの時間長さｔｃがｔｃ≧Ｔｗの関係にあり、前記第３のパワーレベルｃおよび前記第４のパワーレベルｄがｃ＜ｄの関係にあるように、前記ビームを変調することを特徴とするものである。
【００５６】
本発明の第２２の態様に係る情報記録媒体の記録用プログラムによれば、ビームの変調波形が、マルチパルス部とつぎのマルチパルス部との間にあるバイアス部よりもパワーレベルの低い断熱パルスを、マルチパルス部と後続するバイアス部との間に有することとなり、しかも断熱パルスの時間長さが最適範囲内の値となるので、記録層を部分的に結晶化して記録マークを形成する追記型の情報記録媒体に対して、ユーザーデータを正しく記録することが可能となる。
【００５７】
本発明のうち第２３の態様に係るものは、情報記録媒体の記録用プログラムであって、ビームを照射して記録層を部分的に結晶化してマークを形成することにより情報を記録する、コンピュータを利用した追記型情報記録媒体の記録装置を、前記マークの形成部分において第１のパワーレベルａの単数または複数のパルスを有し、前記複数のパルスを有する場合には前記複数のパルスの間に第２のパワーレベルｂ（ただしｂ＜ａ）のパルスを挟んでいるマルチパルス部を形成するように前記ビームを変調するマルチパルス部形成手段と、前記マルチパルス部の直後に位置する第３のパワーレベルｃ（ただしｃ＜ａ）の断熱パルスを形成するように前記ビームを変調する断熱パルス形成手段と、前記断熱パルスと後続するマルチパルス部との間にある第４のパワーレベルｄのバイアス部を形成するように前記ビームを変調するバイアス部形成手段として機能させ、前記断熱パルス形成手段及び前記バイアス部形成手段は、前記断熱パルスの線長さＬｃがＬｃ≧７５ｎｍであり、前記第３のパワーレベルｃおよび前記第４のパワーレベルｄがｃ＜ｄの関係にあるように、前記ビームを変調することを特徴とするものである。
【００５８】
本発明の第２３の態様に係る情報記録媒体の記録用プログラムによれば、ビームの変調波形が、マルチパルス部とつぎのマルチパルス部との間にあるバイアス部よりもパワーレベルの低い断熱パルスを、マルチパルス部と後続するバイアス部との間に有することとなり、しかも断熱パルスの線長さが最適範囲内の値となるので、記録層を部分的に結晶化して記録マークを形成する追記型の情報記録媒体に対して、ユーザーデータを正しく記録することが可能となる。
【００５９】
本発明のうち第２４の態様に係るものは、情報記録媒体の記録用プログラムであって、ビームを照射して記録層を部分的に結晶化してマークを形成することにより情報を記録する、コンピュータを利用した追記型情報記録媒体の記録装置を、前記マークの形成部分において第１のパワーレベルａの単数または複数のパルスを有し、前記複数のパルスを有する場合には前記複数のパルスの間に第２のパワーレベルｂ（ただしｂ＜ａ）のパルスを挟んでいるマルチパルス部を形成するように前記ビームを変調するマルチパルス部形成手段と、前記マルチパルス部の直後に位置する第３のパワーレベルｃ（ただしｃ＜ａ）の第１断熱パルスを形成するように前記ビームを変調する第１断熱パルス形成手段と、前記第１断熱パルスと後続するマルチパルス部との間にある第４のパワーレベルｄのバイアス部を形成するように前記ビームを変調するバイアス部形成手段と、前記バイアス部と後続する前記マルチパルス部との間にある第５のパワーレベルｅの第２断熱パルスを形成するように前記ビームを変調する第２断熱パルス形成手段として機能させ、前記第１断熱パルス形成手段、前記バイアス部形成手段及び前記第２断熱パルス形成手段は、前記第３のパワーレベルｃ、前記第４のパワーレベルｄおよび前記第５のパワーレベルｅが、ｃ＜ｄおよびｅ＜ｄの関係にあるように、前記ビームを変調することを特徴とするものである。
【００６０】
本発明の第２４の態様に係る情報記録媒体の記録用プログラムによれば、ビームの変調波形が、マルチパルス部とつぎのマルチパルス部との間にあるバイアス部よりもパワーレベルの低い断熱パルスを、バイアス部の前後に配置することとなるので、マルチパルス部の前端部分と後端部分の温度上昇をより細かく制御することが可能となる。それによって、より高品質な情報の記録が可能となる。
【００６１】
本発明のうち第２５の態様に係るものは、第２２ないし第２４の何れかの態様に係る情報記録媒体の記録用プログラムを記録したコンピュータ読み取り可能な記録媒体である。
【００６２】
本発明の第２５の態様に係る記録媒体によれば、記録媒体に本発明の第２２ないし第２４の何れかの態様に係る情報記録媒体の記録用プログラムが記録されているので、この記録媒体がコンピュータに読み取られることにより、情報記録媒体に対して、ユーザーデータを正しく記録することが可能となる。
【発明の効果】
【００６３】
以上説明したように、本発明の記録技術によれば、レーザ光等のビームを照射して記録層を部分的に結晶化することによってマークを形成して情報を記録する追記型情報記録媒体に対して、ユーザーデータを正しく記録することが可能となる。また、ユーザーデータが正しく記録される情報記録媒体を得ることが可能となる。
【発明を実施するための最良の形態】
【００６４】
（第１の実施形態）
図１は本発明による記録技術が対象とする光学式情報記録媒体の一例を示す斜視図であり、図２は図１の記録媒体の断面図である。図２は、縦方向の寸法を拡大して示している。図２が示すように、この情報記録媒体１は、中央に記録再生装置に装着するための中心孔２を備えたポリカーボネートからなる厚さ約１．１ｍｍの基板８上に、誘電体材料からなる保護層２０１、ＴｅＯＰｄ合金薄膜からなる相変化層２０２、誘電体材料からなる保護層２０３及び金属材料からなる反射層２０４の多層薄膜で構成された記録層９を形成し、その上に厚さ０．１ｍｍの保護膜１０を設けたものである。基板８には、記録再生時にレーザー光７をトラッキングする深さ約２０ｎｍ、幅約０．２μｍの情報トラックが０．３２μｍのピッチで設けられている（図示を略す）。
【００６５】
図１が示すように情報記録媒体１は、情報トラックをウォブリングすることによって情報記録媒体１の識別情報等を記録した半径約２２ｍｍから２３ｍｍの位置に設けられた再生専用のリードイン領域３、半径約２３ｍｍから２３．５ｍｍの位置に設けられ、特定のデータを試験的に記録してその信号品質を測定し、最適な記録条件を求める学習動作を行うためのテスト記録領域４、半径約２３．５ｍｍから２４ｍｍの位置に設けられ、記録再生装置による記録が可能で、学習動作によって得られた最適な記録条件を記録する記録再生条件記録領域５、半径約２４ｍｍから５８ｍｍの位置に設けられ、ユーザーデータを記録する情報記録領域６を有している。
【００６６】
情報記録時には、レーザー光７を照射することによって相変化層２０２を部分的にアモルファス状態から結晶状態に変化させることで記録マークを形成する。さらに、記録マークは、マークの長さ及びスペース（即ち、マーク間スペース）の長さ（より詳細には、マークの前端及び後端のエッジ位置）が情報を担うマーク長記録方式で形成される。
【００６７】
図３は、本発明による記録装置の一実施形態の構成を示すブロック図であり、図１及び図２に示した光学式情報記録媒体１を装着した状態を示している。この記録装置は、再生をも可能にする記録再生装置４００として構成されており、情報記録媒体１を装着して回転させるスピンドルモータ４０２、コントローラ４０３、記録するデータを記録信号に変換する変調器４０４、記録信号に従って半導体レーザーを駆動するレーザー駆動回路４０５、波長４０５ｎｍの半導体レーザー及びＮＡ（開口数）０．８５の対物レンズを有し、レーザー光を情報記録媒体１に集光して情報の記録を行うと共に、反射光から再生信号を得る光学ヘッド４０１、再生信号を増幅し、情報再生信号４０６Ｓを生成するプリアンプ（前置増幅器）４０６、情報再生信号４０６Ｓを２値化信号４０７Ｓに変換する２値化回路４０７、２値化信号４０７Ｓからデータを復調するデータ復調回路４０８、情報記録媒体１のテスト記録領域４（図１）において特定のデータを試験的に記録再生した信号の品質を判定する信号品質判定回路４０９、例えば半導体メモリ、ハードディスク等のメモリを有し最適な記録条件を格納する記録条件格納回路４１０、上記の記録条件に従ってレーザーパルスを制御するパルス条件設定回路４１１、および光学ヘッド４０１を情報記録媒体１の径方向に移動させる移動機構４１２を備えている。
【００６８】
コントローラ４０３は、データメモリとしての記録条件格納回路４１０を含めてコンピュータとして構成することができる。コンピュータの動作を規定するプログラムは、例えばコントローラ４０３に含まれるＲＯＭ等の不図示のプログラムメモリに格納される。上記プログラムは、ＲＯＭ、フレキシブルディスク、ＣＤ−ＲＯＭ、情報記録媒体１等の記録媒体を通じて供給することも、電話回線、ネットワーク等の伝送媒体４１６を通じて供給することも可能である。
【００６９】
情報記録媒体１に記録されたプログラムは、光学ヘッド４０１により読み取られ、例えばコントローラ４０３に内蔵するプログラムメモリへ格納することができる。ＣＤ−ＲＯＭに記録されたプログラムは、外部装置としての不図示のＣＤ−ＲＯＭ読取装置を不図示の入出力インタフェース等へ接続することにより、読み出すことができる。ＲＯＭの形態でプログラムが供給される場合には、当該ＲＯＭを例えばコントローラ４０３が内蔵するプログラムメモリとして記録再生装置４００に搭載することにより、コントローラ４０３はプログラムに従った処理を実行可能となる。伝送媒体４１６を通じて供給されるプログラムは、記録再生装置４００が通信回路４１５を備えることにより、当該通信回路４１５により受信され、例えばコントローラ４０３が内蔵するプログラムメモリへ格納される。伝送媒体４１６は、有線の伝送媒体に限らず無線の伝送媒体であっても良い。
【００７０】
図３に点線で示す装置部分ＩＣ１は、その全て、又はその一部を単一チップのＬＳＩで構成することが可能である。装置部分ＩＣ１の一部を単一チップのＬＳＩで構成する場合には、単一チップで構成すべき部分として、装置部分ＩＣ１の様々な部分を選択することができる。図３に示す装置部分ＩＣ２及びＩＣ３は、その例に過ぎない。又、装置部分ＩＣ１の中の複数の部分を、それぞれ単一チップのＬＳＩで構成することも可能である。
【００７１】
図４は記録再生装置４００を用いた記録方法を示すフローチャートであり、図３をも参照しつつ説明する。まずステップＳ１において、記録再生装置４００が起動される。具体的には図５に示すように、情報記録媒体１がスピンドルモータ４０２に装着されると、記録再生装置４００はこれを回転させつつ、まず情報記録媒体１上に光学ヘッド４０１によって情報再生用のレーザー光を照射し、記録層９に焦点を合わせ、リードイン領域３にアクセスする（Ｓ１１）。つぎに情報トラックにトラッキングし、情報記録媒体１の識別情報等を読み出す（Ｓ１２）。その後、記録再生条件記録領域５にアクセスし（Ｓ１３）、記録再生装置４００を特定する装置番号とともに記録された最適な記録条件を読み出す（Ｓ１４）。識別情報等の読み出しは、光学ヘッド４０１で媒体１からの反射光から得られた情報再生信号４０６Ｓを２値化回路４０７で２値化した信号４０７Ｓを、データ復調回路４０８で復調し、コントローラ４０３に取り込むことにより行われる。
【００７２】
図４に戻って、次のステップＳ２では最適な記録条件を求める学習動作が行われる。学習動作は、図６に示す手順で行われる。記録再生装置４００は、まず、光学ヘッド４０１を移動させて、記録層９のテスト記録領域４にアクセスする（Ｓ２１）。コントローラ４０３はパルス条件設定回路４１１を、ステップＳ１４（図５）で読み出した最適な記録条件に設定する（Ｓ２２）。最適な条件で定められていないパラメータについては、予め定められた特定の条件またはステップＳ１２（図５）で読み出された識別情報で指定された条件に設定される。
【００７３】
次にコントローラ４０３から出力された学習動作用の特定データが、変調器４０４でレーザー駆動信号に変換され、レーザー駆動回路４０５は、このレーザー駆動信号に従って光学ヘッド４０１に設けられた半導体レーザーを駆動する。光学ヘッド４０１によって、半導体レーザーから出射された光が情報記録媒体１に集光され、テスト記録領域４にテスト信号の記録が行われる（Ｓ２３）。次に、テスト記録されたデータが再生され（Ｓ２４）、再生信号のジッタ値（基準となるクロックに対する再生された信号位置の変動量）が信号品質判定回路４０９により測定され、予め定められた判定基準と比較されることにより信号品質の判定が行われる（Ｓ２５）。
【００７４】
ジッタ値が判定基準を充足した場合（Ｓ２６）には、学習結果がコントローラ４０３に送られ、学習動作は終了する。ジッタ値が判定基準を充足しなかった場合（Ｓ２６）には、パルス条件が変更される（Ｓ２７）。このステップＳ２７の処理は、コントローラ４０３がパルス条件設定回路４１１を、変更したパルス条件に設定することにより行われる。その後、特定データのテスト記録（Ｓ２３）及びテスト記録されたデータの信号品質の判定が行われる（Ｓ２４，Ｓ２５）。この作業をジッタ値が判定基準を充足するまで繰り返すことによって、最適な記録条件が求められる。
【００７５】
再び図４に戻って、次のステップＳ３では、ステップＳ２の学習動作によって得られた最適な記録条件が記録条件格納回路４１０に格納され、ステップＳ４では最適な記録条件が記録再生装置４００を特定する装置番号とともに情報記録媒体１の記録再生条件記録領域５に記録される。次にステップＳ５で、コントローラ４０３は、最適な記録条件に基づいてパルス条件をパルス条件設定回路４１１に設定し、それにより、ユーザーデータが最適な記録条件で情報記録領域６に記録される。パルス条件は、レーザーパルスの強度、幅（時間長さ）及び発生タイミングを含み、記録するマーク及びスペースの長さに適応して設定される。記録時のレーザー光変調波形（発光波形）は、記録するデータの信号パターン及びパルス条件によって決定される。
【００７６】
図７は、本発明の記録装置の一実施形態によるレーザー光変調波形を示す波形図である。記録する信号パターンは、基準クロック周期（ウインドウ幅とも称される）Ｔｗの整数倍であり、２Ｔｗから８Ｔｗまでの長さのマーク２１とスペース２２との組み合わせで構成されている。この信号パターンは、標準的な変調方式に基づくものである。図７では２Ｔｗ及び６Ｔｗのマーク２１を形成する場合のレーザー光変調波形を示している。
【００７７】
このレーザー光変調波形では、ｎＴｗの長さ（ただし２≦ｎ≦８）のマーク２１に対応するマーク形成部分において、パワーレベルａとパワーレベルｂ（ただし、ｂ＜ａ）との間で変調されたｎ−１個のパルスからなるマルチパルス部３０が生成される。すなわち、マルチパルス部３０は、パワーレベルａを有するｎ−１個のパルスと、それらの間にあってパワーレベルｂを有するｎ−２個のパルスとで構成されている。ｎ＝２の場合、すなわちパワーレベルａを有するパルスが１個のみである場合には、パワーレベルｂを有するパルスは存在しない。パワーレベルａを有するｎ−１個のパルスのうち、マーク２１の前端２３に相当するものを第１パルス３１と称し、第１パルスに続いて生成されるｎ−２個のパルスを後続パルス３２と称する。ｎ＝２のマルチパルス部３０では、後続パルス３２は含まれない。
【００７８】
このレーザー光変調波形では、更に、マルチパルス部３０の直後にパワーレベルｃ（ただしｃ＜ａ）の断熱パルス３５が生成される。また、この断熱パルス３５と後続するマルチパルス部３０との間には、パワーレベルｄ（ただし、ｃ＜ｄ＜ａ）のバイアス部３６が生成される。バイアス部３６はスペース２２に対応する。
【００７９】
図７において、ｔａ，ｔｂ，ｔｃは、それぞれ第１パルス３１、後続パルス３２及び断熱パルス３５のパルス幅（時間長さ）である。また、α１は、第１パルス発光開始タイミングの基準クロックに対する先行時間長さである。後続パルス３２の発光開始タイミングは、基準クロックと一致している。
【００８０】
本願出願人は図２に示した追記型の光学式情報記録媒体１と図３に示した記録再生装置４００とを用いて記録試験を行った。このとき、上記のパルス条件の各パラメータは、全てのマーク長さにおいて共通とした。
【００８１】
本願出願人は、まず、線速度＝５ｍ／ｓ、Ｔｗ＝１５ｎｓでパルス条件を変えながら、ランダムなパターンの信号を記録し、その再生信号のジッタを測定した。その結果、各パワーレベルが、ａ＝５．５ｍＷ、ｂ＝ｃ＝０ｍＷ、ｄ＝１．８ｍＷであり、各時間長さがα１＝１ｎｓ、ｔａ＝８ｎｓ、ｔｂ＝７ｎｓ、ｔｃ＝２０ｎｓの場合にジッタが最小となった。図８は、この記録試験における、断熱パルス３５の時間長さｔｃと再生信号のジッタとの関係を示したグラフである。％表示のジッタは、基準クロック周期Ｔｗに対するジッタの比率を％で表記したものである。一般に、１０％以下のジッタであれば、再生信号から正確にデータの復調ができるとされている。図８において、時間長さｔｃとジッタとの間には相関関係が認められ、ｔｃが１５ｎｓ以上の場合に１０％以下のジッタが得られ、ｔｃが２０ｎｓの場合にジッタが最も小さい。
【００８２】
次に、線速度＝１０ｍ／ｓ、Ｔｗ＝７．５ｎｓで同様の記録実験を行った結果、各パワーレベルが、ａ＝７．５ｍＷ、ｂ＝ｃ＝０ｍＷ、ｄ＝２．５ｍＷであり、各時間長さがα１＝１ｎｓ、ｔａ＝５ｎｓ、ｔｂ＝４ｎｓ、ｔｃ＝１２．５〜１５ｎｓの場合にジッタが最小となった。図９は、この記録試験における、断熱パルスの時間長さｔｃと再生信号のジッタとの関係を示したグラフである。図９において、時間長さｔｃとジッタとの間には相関関係が認められ、ｔｃが７．５ｎｓ以上の場合に１０％以下のジッタが得られ、ｔｃが１２．５〜１５ｎｓの場合にジッタが最も小さい。
【００８３】
つまり、５ｍ／ｓ及び１０ｍ／ｓの線速度において、ｔｃの好ましい時間長さは、記録する信号の基準クロック周期Ｔｗに対して、ｔｃ≧Ｔｗの範囲であると結論することができる。例えば前述の特許文献１に記載されている従来の消去型光学式記録媒体に適した記録波形では、断熱パルスの好ましい時間長さが０．５Ｔｗから１Ｔｗの範囲であるのに対して、本実施形態における断熱パルスの好ましい時間幅は１Ｔｗ以上であり、好ましい数値範囲が大きく異なっている。これは、融点よりも遙かに低い結晶化温度以上に昇温することで記録層９（図２）を部分的に結晶化して記録マークを形成する追記型の情報記録媒体１は、記録層を融点以上に加熱した後に急激に冷却することによってマークを形成する消去型（すなわち書換型）の記録媒体に比べて、形成するマーク２１の直前のマーク２１からの熱伝搬の影響を受け易いためであると考えられる。したがって、上記構成でｔｃ≧Ｔｗとした記録方法によって、記録層９を部分的に結晶化してマーク２１を形成する追記型の情報記録媒体１に対して良好な情報の記録再生が可能となる。
【００８４】
線速度と基準クロック周期Ｔｗとを異ならせて行った上記２通りの実証実験において、基準クロック周期Ｔｗに相当する情報トラック２０の線長は、５ｍ／ｓ×１５ｎｓ＝１０ｍ／ｓ×７．５ｎｓ＝７５ｎｍであって、共通である。このことから、断熱パルス３５の時間幅ｔｃに対応する線長さＬｃ、すなわち断熱パルス３５の記録長についての最適条件として、Ｌｃ≧７５ｎｍを導くことができる。
【００８５】
記録再生装置４００は、ステップＳ２（図４，図６）の学習動作において、これらの最適条件の範囲で、パルス条件が最適化される。例えば、実証実験ではパルス条件の各パラメータを、全てのマーク長さにおいて共通としたが、断熱パルス３５の時間長さｔｃ（または線長さＬｃ）を直後につづくスペース２２の長さに応じて、最適条件ｔｃ≧Ｔｗ（またはＬｃ≧７５ｎｍ）の範囲で変化させてもよい。この場合、断熱パルスの時間長さｔｃを、直後のスペース２２が短いほど長くするのが望ましく、それによって、様々な信号パターンにおいて、マーク２１形成時に発生する熱の後続のマーク２１への伝搬を均一化することが可能となり、より高品質な情報の記録が可能となる。
【００８６】
さらに、断熱パルス３５の時間長さｔｃ（または線長さＬｃ）を直前のマーク２１の長さに応じて変化させても良い。この場合、断熱パルス３５の時間長さｔｃを、直前のマーク２１が長いほど大きくするのが望ましく、それによって、様々な信号パターンにおいて、マーク２１形成時に発生する熱の後続のマーク２１への伝搬をより均一化することが可能となり、さらに高品質な情報の記録が可能となる。
【００８７】
また実証実験では、断熱パルス３５のパワーレベルｃを常に一定とし、なおかつ、実証実験ではマルチパルス部３０の低パワー側レベルｂと同一に設定したが、直後のスペース２２の長さに応じて変化させても良い。この場合、断熱パルス３５のパワーレベルｃを、直後のスペース２２が短いほど低くするのが望ましく、それによって、様々な信号パターンにおいて、マーク形成時に発生する熱の後続のマークへの伝搬を均一化することが可能となり、より高品質な情報の記録が可能となる。
【００８８】
さらに、断熱パルス３５のパワーレベルｃを直前のマーク２１の長さに応じて変化させても良い。この場合、断熱パルス３５のパワーレベルｃを、直前のマーク２１が長いほど低くすることによって、様々な信号パターンにおいて、マーク２１形成時に発生する熱の後続のマーク２１への伝搬をより均一化することが可能となり、さらに高品質な情報の記録が可能となる。
【００８９】
また、断熱パルス３５の時間長さｔｃまたはパワーレベルｃを、直前のマーク２１の長さおよび直後のスペース２２の長さの双方に依存して変化させてもよい。それにより上記同様に高品質な情報の記録が可能となる。
【００９０】
図７に示した変調波形は、コントローラ４０３が変調器４０４を制御することにより実現される。また、上記したパワーレベルａ，ｂ，ｃ，ｄおよび時間長さｔｃ等の条件は、コントローラ４０３が記録条件格納回路４１０に格納される記録条件にもとづいて、パルス条件設定回路４１１に、これらの条件を設定することにより実現される（図４のステップＳ５）。また、ステップＳ４（図４）では、最適な記録条件として、パワーレベルａ，ｂ，ｃ，ｄおよび時間長さｔｃ（または線長さＬｃを線速度に応じて換算したｔｃ）が記録媒体１に記録される。
【００９１】
なお、上述した最適条件ｔｃ≧ＴｗあるいはＬｃ≧７５ｎｍは、理論的には他のパルス条件、例えばａ，ｂ，ｄ、あるいはα１，ｔａ，ｔｂ，ｔｃなどに依存し得るが、最も良好な再生信号が得られる記録条件との組み合わせにおいては、トータルの熱負荷は同程度であり、断熱パルス３５の条件は、ある範囲に収束するものであり、実用的な使用の下では最適条件は上述の範囲となる。
【００９２】
本実施の形態による記録再生装置４００が情報記録媒体１に情報を記録する機能、即ち図４のステップＳ５及び図６のステップＳ２３の処理に着目すると、記録再生装置４００の構成は、図１０のブロック図で表現することができる。即ち、記録再生装置４００を構成するコントローラ４０３、変調器４０４、その他の回路は、マルチパルス部形成部１１、断熱パルス形成部１２及びバイアス部形成部１３を実現する。
【００９３】
マルチパルス部形成部１１、断熱パルス形成部１２及びバイアス部形成部１３は、図１１に示すフローチャートに沿った処理を行う。情報記録媒体１へ情報を記録する処理が開始されると、マルチパルス部形成部１１はマルチパルス部３０を形成するようにビームを変調する（Ｓ３１）。次に、断熱パルス形成部１２は、断熱パルス３５を形成するようにビームを変調する（Ｓ３２）。続いて、バイアス部形成部１３は、バイアス部３６を形成するようにビームを変調する（Ｓ３３）。もはや記録すべき情報がない場合など、処理を終了すべき場合には（Ｓ３５でＹｅｓ）、図１１の処理は終了し、処理を終了すべきでない場合には（Ｓ３５でＮｏ）、処理はステップＳ３１へ戻る。このようにして、情報記録媒体１への情報の記録が行われる。
【００９４】
既に述べたように、記録再生装置４００は、ステップＳ２（図４，図６）の学習動作において、パルス条件を最適化する。このとき、断熱パルス形成部１２によって、断熱パルス３５の時間長さｔｃ（または線長さＬｃ）、及びパワーレベルｃの最適化が行われる。
【００９５】
又、既に述べたように、コントローラ４０３は、例えば記録条件格納回路４１０を含めてコンピュータとして構成することができ、それによりコントローラ４０３による処理を容易に実現することができる。コンピュータの動作を規定するプログラムは、コンピュータとしてのコントローラ４０３が内蔵するＣＰＵ、メモリ等のハードウェア資源、及びコンピュータのデータメモリとしての記録条件格納回路４１０に加えて、コンピュータの周辺回路に属する変調器４０４、レーザー駆動回路４０５、パルス条件設定回路４１１等のハードウェア資源と協働することにより、図１０に示したマルチパルス部形成部１１、断熱パルス形成部１２及びバイアス部形成部１３を実現する。
【００９６】
（第２の実施形態）
図１２は、本発明の記録方法の別の実施形態によるレーザー光変調波形を示す波形図である。記録する信号パターンは、基準クロック周期Ｔｗの整数倍であり、２Ｔｗから８Ｔｗまでの長さのマーク２１とスペース２２との組み合わせで構成されており、図１２では２Ｔｗ及び６Ｔｗのマークを形成する場合のレーザー光変調波形を示している。このレーザー光変調波形では、ｎＴｗの長さ（ただしｎ≧２）のマーク２１に対応するマーク形成部分において、マルチパルス部３０が生成される。マルチパルス部３０の構成は、図７を参照しつつ説明したとおりである。
【００９７】
このレーザー光変調波形では、更に、マルチパルス部３０の直後にパワーレベルｃ（ただしｃ＜ａ）の第１断熱パルス４１が生成されるとともに、マルチパルス部３０の直前にパワーレベルｅ（ただしｅ＜ａ）の第２断熱パルスが生成される。第１断熱パルス４１と後続する第２断熱パルス４２との間には、スペース２２に対応するパワーレベルｄ（ただし、ｃ，ｅ＜ｄ＜ａ）のバイアス部３６が生成される。図１２において、ｔａ，ｔｂ，ｔｃ，ｔｄは、それぞれ第１パルス３１、後続パルス３２、第１断熱パルス４１及び第２断熱パルス４２の時間長さである。また図７と同様に、後続パルス３２の発光開始タイミングは、基準クロックと一致している。
【００９８】
第１の実施形態に述べた最適条件から、ｃ＝ｅであるときには、バイアス部３６を挟むようにスペース２２の後と前とに位置する第１断熱パルス４１と第２断熱パルス４２とについての最適条件として、それらの時間幅ｔｃおよびｔｄに関して、ｔｃ＋ｔｄ≧Ｔｗが理論的に十分な確度をもって導かれる。同様に、第１断熱パルス４１の線長さＬｃおよび第２断熱パルス４２の線長さＬｄについての最適条件として、Ｌｃ＋Ｌｄ≧７５ｎｍが導かれる。このように設定することによって、マーク２１形成時に発生する熱の後続のマーク２１への伝搬を抑制し、記録層９を部分的に結晶化して記録マーク２１を形成する追記型の情報記録媒体１に対する良好な情報の記録再生が可能となる。
【００９９】
また、１つのマーク２１を形成するにあたって断熱パルスを２つ設け、一方をスペース２２の前部に配置し、他方を後部に配置したことで、２つの断熱パルス４１，４２の合計の時間長さを一定としながら、その配分を変えることが可能となる。つまり、マルチパルス部３０の前端部分と後端部分の温度上昇をより細かく制御することが可能となる。したがって、より高品質な情報の記録が可能となる。
【０１００】
なお、スペース２２の長さに応じて、このスペース２２の前後に位置する第１断熱パルス４１及び第２断熱パルス４２の時間長さを変化させても良い。この場合、第１断熱パルス４１と第２断熱パルス４２の時間長さの和ｔｃ＋ｔｄを、スペース２１が短いほど大きくするのが望ましく、それによって、様々な信号パターンにおいて、マーク２１形成時に発生する熱の後続のマーク２１への伝搬を均一化することが可能となり、より高品質な情報の記録が可能となる。
【０１０１】
さらに、マーク２１の長さに応じて、このマーク２１に後続するスペース２２の前後に位置する第１断熱パルス４１及び第２断熱パルス４２の時間長さを変化させても良い。この場合、これらの第１断熱パルス４１と第２断熱パルス４２の時間長さの和ｔｃ＋ｔｄを、直前のマーク２１が長いほど大きくするのが望ましく、それによって、様々な信号パターンにおいて、マーク２１形成時に発生する熱の後続のマーク２１への伝搬をより均一化することが可能となり、さらに高品質な情報の記録が可能となる。
【０１０２】
また、スペース２２の長さに応じて、このスペース２２の前後に位置する第１断熱パルス４１及び第２断熱パルス４２のパワーレベルを変化させても良い。この場合、第１断熱パルス４１のパワーレベルｃ及び第２断熱パルス４２のパワーレベルｅを、スペース２２が短いほど低くするのが望ましく、それによって、様々な信号パターンにおいて、マーク２１形成時に発生する熱の後続のマーク２１への伝搬を均一化することが可能となり、より高品質な情報の記録が可能となる。なお、パワーレベルｃとｅのいずれか一方のみを、スペース２２が短いほど低くしても相応の効果は得られる。
【０１０３】
さらに、マーク２１の長さに応じて、このマーク２１に後続するスペース２２の前後に位置する第１断熱パルス４１及び第２断熱パルス４２のパワーレベルを変化させても良い。この場合、第１断熱パルス４１のパワーレベルｃ及び第２断熱パルス４２のパワーレベルｅを、直前のマーク２１が長いほど低くするのが望ましく、それによって、様々な信号パターンにおいて、マーク２１形成時に発生する熱の後続のマーク２１への伝搬をより均一化することが可能となり、さらに高品質な情報の記録が可能となる。なお、パワーレベルｃとｅのいずれか一方のみを、マーク２１が長いほど低くしても相応の効果は得られる。
【０１０４】
また、第１断熱パルス４１および第２断熱パルス４２の時間長さまたはパワーレベルを、直前のマーク２１の長さおよび、それらが前後に挟むスペース２２の長さの双方に依存して変化させてもよい。それにより上記同様に高品質な情報の記録が可能となる。
【０１０５】
図１２に示した変調波形は、コントローラ４０３が変調器４０４を制御することにより実現される。また、上記したパワーレベルａ，ｂ，ｃ，ｄ，ｅおよび時間長さｔｃ，ｔｄ等の条件は、コントローラ４０３が記録条件格納回路４１０に格納される記録条件にもとづいて、パルス条件設定回路４１１に、これらの条件を設定することにより実現される（図４のステップＳ５）。また、ステップＳ４（図４）では、最適な記録条件として、パワーレベルａ，ｂ，ｃ，ｄ，ｅ、時間長さｔｃ（または線長さＬｃを線速度に応じて換算したｔｃ）および時間長さｔｄ（または線長さＬｄを線速度に応じて換算したｔｄ）が記録媒体１に記録される。
【０１０６】
第２の実施の形態による記録再生装置４００が情報記録媒体１に情報を記録する機能、即ち図４のステップＳ５及び図６のステップＳ２３の処理に着目すると、記録再生装置４００の構成は、図１３のブロック図で表現することができる。即ち、記録再生装置４００を構成するコントローラ４０３、変調器４０４、その他の回路は、マルチパルス部形成部１１、第１断熱パルス形成部１２、バイアス部形成部１３及び第２断熱パルス形成部１４を実現する。図１３において、図１０に示した要素と同一ないし対応する要素には、同一符号を付している。
【０１０７】
マルチパルス部形成部１１、第１断熱パルス形成部１２、バイアス部形成部１３及び第２断熱パルス形成部１４は、図１４に示すフローチャートに沿った処理を行う。図１４において、図１１に示した処理と同一ないし対応する処理には同一の符号を付している。情報記録媒体１へ情報を記録する処理が開始されると、マルチパルス部形成部１１はマルチパルス部３０を形成するようにビームを変調する（Ｓ３１）。次に、第１断熱パルス形成部１２は、断熱パルス３５を形成するようにビームを変調する（Ｓ３２）。続いて、バイアス部形成部１３は、バイアス部３６を形成するようにビームを変調する（Ｓ３３）。更に、第２断熱パルス形成部１４は、第２断熱パルス４２を形成するようにビームを変調する（Ｓ３４）。もはや記録すべき情報がない場合など、処理を終了すべき場合には（Ｓ３５でＹｅｓ）、図１４の処理は終了し、処理を終了すべきでない場合には（Ｓ３５でＮｏ）、処理はステップＳ３１へ戻る。このようにして、情報記録媒体１への情報の記録が行われる。
【０１０８】
既に述べたように、記録再生装置４００は、ステップＳ２（図４，図６）の学習動作において、パルス条件を最適化する。このとき、第１断熱パルス形成部１２によって、第１断熱パルス３５の時間長さｔｃ（または線長さＬｃ）、及びパワーレベルｃの最適化が行われる。又、第２断熱パルス形成部１４によって、第２断熱パルス４２の時間長さｔｄ（または線長さＬｄ）、及びパワーレベルｅの最適化が行われる。
【０１０９】
既に述べたように、コントローラ４０３は、例えば記録条件格納回路４１０を含めてコンピュータとして構成することができ、それによりコントローラ４０３による処理を容易に実現することができる。コンピュータの動作を規定するプログラムは、コンピュータとしてのコントローラ４０３が内蔵するＣＰＵ、メモリ等のハードウェア資源、及びコンピュータのデータメモリとしての記録条件格納回路４１０に加えて、コンピュータの周辺回路に属する変調器４０４、レーザー駆動回路４０５、パルス条件設定回路４１１等のハードウェア資源と協働することにより、図１３に示したマルチパルス部形成部１１、第１断熱パルス形成部１２、バイアス部形成部１３及び第２断熱パルス形成部１４を実現する。
【０１１０】
（第３の実施形態）
第１及び第２の実施形態では、ｎＴｗの長さ（ただし２≦ｎ≦８）のマーク２１において、マルチパルス部３０は、パワーレベルａを有するｎ−１個のパルスと、それらの間にあってパワーレベルｂを有するｎ−２個のパルスとで構成された。又、後続パルス３２の発光開始タイミングは、基準クロックと一致し、後続パルス３２のパルス幅ｔｂは、ｔｂ＜Ｔｗに設定された。又、第１パルス３１は、基準クロックよりも早めに立ち上がることはあっても、そのパルス幅ｔａは、パルス幅ｔｂと同様に、ｔａ＜Ｔｗに設定された。
【０１１１】
しかしながら、将来においては、情報記録媒体１への情報の記録速度を向上させるために、基準クロック周期Ｔｗが短縮されてゆく可能性がある。基準クロック周期Ｔｗが短縮された場合には、マルチパルス部３０に関する上記の制限が、もはや適切ではなくなることが起こり得る。即ち、パワーレベルａを有するパルスの個数をｎ−１よりも少なくしたり、第１パルスのパルス幅ｔａをｔａ≧Ｔｗに設定したり、後続パルス３２のパルス幅ｔｂを、ｔｂ≧Ｔｗに設定したりすることが望ましい場合があり得る。
【０１１２】
図１５及び図１６は、マルチパルス部３０に関して、第１及び第２の実施形態とは異なる波形を例示するレーザー光変調波形図である。図１５の例では、６Ｔｗの長さのマーク２１について、後続パルス３２の個数が２個に設定され、それにより、第１パルス３１と後続パルス３２とを合わせたパワーレベルａを有するパルスの個数は、ｎ−１＝５よりも少ない３となっている。図１５のマルチパルス部３０は、ｎ−２＝４個の後続パルス３２から、あたかも一部を間引いた波形を有している。又、第１パルス３１のパルス幅ｔａは、クロック周期Ｔｗよりも幾分長く設定されている。
【０１１３】
図１６の例では、第１パルス３１のパルス幅ｔａが基準クロック周期Ｔｗよりも遙かに長く設定されている。後続パルス３２の個数はゼロであり、パワーレベルａを有するパルスは、１個の第１パルス３１のみとなっている。即ち、図１６のマルチパルス部３０は、複数のクロック周期Ｔｗに跨る単一の第１パルス３１のみを有している。本発明は、マルチパルス部３０のパルス波形に関して、第１及び第２の実施形態に限定されることなく、図１５及び図１６に例示する形態を含めて、様々な形態を採り得る。
【産業上の利用可能性】
【０１１４】
本発明の記録技術によれば、追記型情報記録媒体に対してユーザーデータを正しく記録することが可能となるので、産業上有用である。
【図面の簡単な説明】
【０１１５】
【図１】本発明の第１の実施形態による記録技術が対象とする情報記録媒体の斜視図である。
【図２】図１の情報記録媒体の断面図である。
【図３】本発明の第１の実施形態による記録装置のブロック図である。
【図４】図３の装置による処理手順を示すフローチャートである。
【図５】図４のステップＳ１の処理手順を示すフローチャートである。
【図６】図４のステップＳ２の処理手順を示すフローチャートである。
【図７】図４の装置によるレーザー光変調波形を示す波形図である。
【図８】図７の変調波形を用いた記録試験の結果を示すグラフである。
【図９】図７の変調波形を用いたもう一つの記録試験の結果を示すグラフである。
【図１０】本発明の第１の実施形態による記録装置の情報記録機能に着目した機能ブロック図である。
【図１１】本発明の第１の実施形態による記録装置が情報を記録する処理手順を示すフローチャートである。
【図１２】本発明の第２の実施形態による記録装置によるレーザー光変調波形を示す波形図である。
【図１３】本発明の第２の実施形態による記録装置の情報記録機能に着目した機能ブロック図である。
【図１４】本発明の第２の実施形態による記録装置が情報を記録する処理手順を示すフローチャートである。
【図１５】本発明の第３の実施形態による記録装置によるレーザー光変調波形の一例を示す波形図である。
【図１６】本発明の第３の実施形態による記録装置によるレーザー光変調波形の別の例を示す波形図である。
【図１７】従来の記録技術によるレーザー光変調波形を示す波形図である。
【符号の説明】
【０１１６】
１・・・・情報記録媒体        ７・・・・レーザー光（ビーム）      ９・・・・記録層
１１・・・・マルチパルス部形成部（マルチパルス部形成手段）
１２・・・・断熱パルス形成部（断熱パルス形成手段）、第１断熱パルス形成部（第１断熱パルス形成手段）
１３・・・・バイアス部形成部（バイアス部形成手段）
１４・・・・第２断熱パルス形成部（第２断熱パルス形成手段）
２１・・・・マーク            ２２・・・・スペース              ３０・・・・マルチパルス部
３５・・・・断熱パルス        ３６・・・・バイアス部            ４１・・・・第１断熱パルス
４２・・・・第２断熱パルス                      ４００・・・・記録再生装置（記録装置）
ａ，ｂ，ｃ，ｄ，ｅ・・・・パワーレベル          Ｌｃ、Ｌｄ・・・・線長さ
Ｔｗ・・・・基準クロック周期                    ｔｃ、ｔｄ・・・・パルス幅（時間長さ）
【図１】
2005011496.tif 000003
【図２】
2005011496.tif 000004
【図３】
2005011496.tif 000005
【図４】
2005011496.tif 000006
【図５】
2005011496.tif 000007
【図６】
2005011496.tif 000008
【図７】
2005011496.tif 000009
【図８】
2005011496.tif 000010
【図９】
2005011496.tif 000011
【図１０】
2005011496.tif 000012
【図１１】
2005011496.tif 000013
【図１２】
2005011496.tif 000014
【図１３】
2005011496.tif 000015
【図１４】
2005011496.tif 000016
【図１５】
2005011496.tif 000017
【図１６】
2005011496.tif 000018
【図１７】
2005011496.tif 000019